(57)【要約】【課題】動画像データと静止画像データとの両方を種々の再生機器で再生可能な態様で記録できるようにする。【解決手段】ＪＰＥＧ方式でデータ圧縮されてＤＶＤ１００に記録されている静止画像データを読み出し、これをフォーマット変換部７においてＭＰＥＧ方式のＩピクチャーに変換し、Ｉピクチャーに変換された記録用データをフォーマット形成部３を通じて上記の所定のフォーマットでＤＶＤ１００に記録する。この場合に、記録用データの任意の静止画像を指し示す情報を格納した第１のデータと、この記録用データの再生可能な位置を参照するための第１のデータへのポインタを格納した第２のデータとを当該記録用データともに記録媒体に記録する。【選択図】図１
2006081197.tif 000002
【特許請求の範囲】
【請求項１】
デジタル静止画像データおよびデジタル動画像データが入力される画像データ入力手段と、
前記デジタル静止画像データおよび前記デジタル動画像データを所定の記録媒体に記録する記録手段と、
前記記録媒体から前記デジタル静止画像データおよび前記デジタル動画像データを読み出す読み出し手段と、
前記記録媒体より読み出されたデジタル静止画フォーマットに合致した１枚以上の前記デジタル静止画像データをデジタル動画フォーマットに合致した記録用データに変換する変換手段と、
前記記録用データとともに、前記記録媒体に記録された前記記録用データの任意の静止画像を指し示すポインタが格納された第１のデータと、該記録用データの再生可能な位置を参照するための前記第１のデータへのポインタが格納された第２のデータとを前記記録媒体に記録するように制御する制御手段と
を有し、
前記記録用データの追加記録の際には、前記第１のデータに対して前記記録用データの静止画像を指し示すポインタが追加して格納されるとともに、前記第２のデータに対して前記記録用データの複数の静止画像へアクセスするための第１のデータへのポインタが追加して格納されることを特徴とする記録装置。
【請求項２】
前記記録媒体はＤＶＤ（Digital Versatile Disk）であり、
前記制御手段は、前記デジタル静止画像データおよび前記デジタル動画像データ、前記記録用データをＤＶＤビデオレコーディングフォーマットにて前記ＤＶＤに記録するように制御することを特徴とする請求項１に記載の記録装置。
【請求項３】
前記制御手段は、前記記録媒体に記録されデジタル静止画フォーマットに合致したすべての前記デジタル静止画像データをデジタル動画フォーマットに合致した前記記録用データに変換するように制御することを特徴とする請求項１に記載の記録装置。
【請求項４】
１枚以上の前記デジタル静止画像データが変換された前記記録用データを再生する際の静止画像の再生時間を変更する変更手段を更に有することを特徴とする請求項１に記載の記録装置。
【請求項５】
被写体を撮像する撮像手段と、
前記撮像手段より出力される撮像データを演算処理してデジタル静止画像データおよびデジタル動画像データを生成する信号処理手段と、
前記デジタル静止画像データおよび前記デジタル動画像データを所定の記録媒体に記録する記録手段と、
前記記録媒体から前記デジタル静止画像データおよび前記デジタル動画像データを読み出す読み出し手段と、
前記記録媒体より読み出されたデジタル静止画フォーマットに合致した１枚以上の前記デジタル静止画像データをデジタル動画フォーマットに合致した記録用データに変換する変換手段と、
前記記録用データとともに、前記記録媒体に記録された前記記録用データの任意の静止画像を指し示すポインタが格納された第１のデータと、該記録用データの再生可能な位置を参照するための前記第１のデータへのポインタが格納された第２のデータとを前記記録媒体に記録するように制御する制御手段と
を有し、
前記記録用データの追加記録の際には、前記第１のデータに対して前記記録用データの静止画像を指し示すポインタが追加して格納されるとともに、前記第２のデータに対して前記記録用データの複数の静止画像へアクセスするための第１のデータへのポインタが追加して格納されることを特徴とする撮像装置。
【請求項６】
所定の記録媒体にデジタル静止画フォーマットで記録された１枚以上のデジタル静止画像データを読み出すステップと、
前記記録媒体より読み出された１枚以上の前記デジタル静止画像データをデジタル動画フォーマットに合致した記録用データに変換する変換ステップと、
前記記録用データを前記記録媒体に記録する第１の記録ステップと、
前記記録媒体に記録された前記記録用データの任意の静止画像を指し示すポインタが格納された第１のデータ内に該記録された前記記録用データの静止画像を指し示すポインタを追加するポインタ追加ステップと、
該記録用データの再生可能な位置を参照するための前記第１のデータへのポインタが格納された第２のデータに対して、該記録された前記記録用データに対応する前記第１のデータへのポインタを追加するステップと
を有することを特徴とする記録方法。
【請求項７】
前記記録媒体はＤＶＤ（Digital Versatile Disk）であり、
前記デジタル静止画像データおよび前記デジタル動画像データ、前記記録用データはＤＶＤビデオレコーディングフォーマットにて前記ＤＶＤに記録されることを特徴とする請求項６に記載の記録方法。
【発明の詳細な説明】
【技術分野】
【０００１】
この発明は、例えば、記録可能なＤＶＤ（Digital Versatile Disk）等を記録媒体として用い、これに動画像や静止画像をデジタルデータとして記録するデジタルビデオカメラやデジタルカメラなどの記録装置、このような記録装置で用いられる記録方法に関する。
【背景技術】
【０００２】
近年、記録媒体としてＤＶＤなどの大容量のディスク記録媒体を用いるデジタルビデオカメラが考えられている。このようなディスク記録媒体を用いるデジタルビデオカメラにおいても、動画像だけでなく、静止画像も動画像とは別個に記録し、その両方を利用できるようにしたいとする要求が高い。
【０００３】
しかし、従来、ディスク媒体に動画像を記録する場合には、動画記録用に考えられたデジタル動画フォーマットで記録し、ディスク媒体に静止画像を記録する場合には、静止画記録用に考えられたデジタル静止画フォーマットで記録することが行われている。しかし、動画像と静止画像とをそれぞれ異なる記録フォーマット同じディスク記録媒体に記録し、これを再生する場合には、そのそれぞれの記録フォーマットに対応したデコーダが必要になる。
【０００４】
ディスク記録媒体として、ＤＶＤを用いる場合を例にして説明すると、動画像を記録する場合には、データ圧縮方式としてＭＰＥＧ（Moving Picture Experts Group）方式を用いたＤＶＤビデオフォーマット（DVD Video Format）やＤＶＤビデオレコーディングフォーマット（DVD Video Recording Format）などのデジタル動画フォーマットを用いることになる。
【０００５】
また、静止画像を記録する場合には、データ圧縮方式として、例えば、ＪＰＥＧ（Joint Photographic Experts Group）方式を用いた、ＪＰＥＧフォーマットやＤＣＦ（Design rule for Camera File system）フォーマットなどと呼ばれるデジタル静止画フォーマットを用いることになる。
【０００６】
このように、動画像データと静止画像データとが異なる記録フォーマットで記録されている記録媒体から動画像データと静止画像データとの両方を再生して、その動画像と静止画像とを得るようにする場合には、動画像データ用のデコーダ（ＭＰＥＧデコーダ）と静止画像データ用のデコーダ（ＪＰＥＧデコーダ）との両方を搭載していなければならなくなる。
【０００７】
したがって、動画像データと静止画像データとが異なる圧縮フォーマットで記録されている記録媒体を、動画用のデコーダしか搭載していない再生機器で再生する場合には、当該記録媒体に記録されている静止画像データについては再生することができず、静止画像を利用することができなくなる。
【０００８】
このため、動画像データについてはデジタル動画フォーマットで記録媒体に記録するようにし、静止画像データについては、ＭＰＥＧ方式の中で規定されているいわゆるプライベートパケット（Private Packet）などを利用して、ＭＰＥＧストリーム内に記録するようにし、静止画像データについてもデジタル動画フォーマットに混ぜるようにして記録することが考えられる。
【０００９】
しかし、このようにして記録した静止画像データを再生する場合には、ＭＰＥＧストリーム内のプライベートパケットを静止画像データとしてデコードできる専用のＭＰＥＧデコーダが必要になる。したがって、静止画デコーダは必要なくなるものの、プライベートパケットを静止画像データとしてデコード可能な専用の動画用デコーダが必要になり、汎用的な解決方法とはいえない。
【００１０】
また、例えば、特許文献１（特開２００２−３２５２２７号公報）に記載されているように、デジタルスチルカメラで撮影して、デジタル静止画フォーマットで半導体メモリなどに記録した静止画像データをデジタル静止画フォーマットに対応していないいわば汎用的な再生装置で再生可能な記録媒体を作成するようにする方式も考えられている。
【００１１】
この特許文献１に記載された技術を用いることにより、デジタル静止画フォーマットで記録媒体に記録された静止画像データであっても、これをＭＰＥＧ方式のＩピクチャ（Intra-Picture）に変換してデジタル動画フォーマットで記録することによって、ＭＰＥＧデコーダを備えた再生機器において、静止画像データの利用が可能な記録媒体を作成することが可能である。
【特許文献１】特開２００２−３２５２２７号公報
【発明の開示】
【発明が解決しようとする課題】
【００１２】
しかしながら、上述した特許文献１に記載された技術が適用されて、デジタル静止画フォーマットからデジタル動画フォーマットへの変換機能を備えた記録再生装置を新たに購入するなどのことなく、既に一般ユーザの手元にある種々の再生機器や記録再生機器でも利用可能な態様で、動画像データと静止画像データとの両方を記録媒体に記録する技術の提供が望まれている。
【００１３】
そこで、デジタルビデオカメラを用いて、静止画像を撮影する場合に、初めからＭＰＥＧ方式のＩピクチャーの形式にして記録媒体に静止画像データを記録することが考えられる。しかし、この場合、通常の動画像のＩピクチャーと混同することがないように、動画像データの記録エリアとＩピクチャーの形式にされた静止画像データの記録エリアとの区別の問題が生じる。これは、静止画像データの利用や管理のための種々の処理が複雑化したり、記録媒体の有効活用がある程度犠牲になったりするなどの問題が生じる場合があると考えられる。
【００１４】
また、一般に、デジタル動画フォーマットの解像度とデジタル静止画フォーマットの解像度とでは、デジタル静止画フォーマットの解像度の方が高い。このため、静止画像についても初めからデジタル動画フォーマットで記録媒体に記録するようにした場合には、デジタル静止画フォーマットの静止画像データがどこにも存在しないことになり、デジタル静止画フォーマットの静止画像データのデコーダを備える再生機器においても、静止画像データを本来の解像度で利用することができなくなってしまう。
【００１５】
また、記録媒体としてＤＶＤを用いる場合、上述もしたように、ＤＶＤの記録フォーマットとしては、ＤＶＤビデオフォーマット（DVD Video Format）やＤＶＤビデオレコーディングフォーマット（DVD Video Recording Format）などがあり、いずれの記録フォーマットを用いる場合であっても、動画像データと静止画像データとの両方をできるだけ制限なく記録できるようにしたいとの要求もある。
【００１６】
以上のことにかんがみ、この発明は、上記問題点を一掃し、動画像データと静止画像データとの両方を種々の再生機器で再生可能な態様で記録できるようにすることを目的とする。
【課題を解決するための手段】
【００１７】
上記課題を解決するため、請求項１に記載の発明の記録装置は、
デジタル静止画像データおよびデジタル動画像データが入力される画像データ入力手段と、
前記デジタル静止画像データおよび前記デジタル動画像データを所定の記録媒体に記録する記録手段と、
前記記録媒体から前記デジタル静止画像データおよび前記デジタル動画像データを読み出す読み出し手段と、
前記記録媒体より読み出されたデジタル静止画フォーマットに合致した１枚以上の前記デジタル静止画像データをデジタル動画フォーマットに合致した記録用データに変換する変換手段と、
前記記録用データとともに、前記記録媒体に記録された前記記録用データの任意の静止画像を指し示すポインタが格納された第１のデータと、該記録用データの再生可能な位置を参照するための前記第１のデータへのポインタが格納された第２のデータとを前記記録媒体に記録するように制御する制御手段と
を有し、
前記記録用データの追加記録の際には、前記第１のデータに対して前記記録用データの静止画像を指し示すポインタが追加して格納されるとともに、前記第２のデータに対して前記記録用データの複数の静止画像へアクセスするための第１のデータへのポインタが追加して格納されることを特徴とする。
【００１８】
この請求項１に記載の記録装置によれば、所定の記録媒体にデジタル静止画フォーマットで記録された１枚以上の静止画像データは、所定のタイミングで読み出され、これが変換手段によりまとめられてデジタル動画フォーマットの記録用データに変換され、記録手段により静止画像データが読み出された同じ記録媒体に記録される。つまり、記録媒体には、静止画像データが、デジタル静止画フォーマットでも、また、デジタル動画フォーマットでも記録するようにされる。
【００１９】
具体的には、記録用データと、この記録用データの任意の静止画像を指し示すためのポインタが格納された第１のデータと、記録用データの再生可能な位置を参照するための第１データへのポインタを格納した第２のデータとが記録媒体に記録するようにされる。この場合、記録用データは追加記録され、第１のデータには静止画像を指し示すポインタが追加され、第２のデータには第１のデータへのポインタが追加されるように作成されて、最終的に、記録用データとこれをアクセスするための第１、第２のデータが作成されて記録するようにされる。
【００２０】
これにより、デジタル動画フォーマットのデコーダしか備えない再生機器においても、当該記録媒体に記録された静止画像の利用ができるようにされる。また、デジタル静止画フォーマットのデコーダをも備える再生機器においては、デジタル静止画フォーマットの静止画像データをそのまま利用して、解像度のよい静止画像の利用ができるようにされる。
【００２１】
さらに、記録用データの追加記録の際には、第１のデータに対して記録用データの静止画像を指し示すポインタが追加して格納されるとともに、第２のデータに対して記録用データの静止画像へアクセスするための第１のデータへのポインタが追加して格納されるようにされるため、最終的に、第１のデータおよび第２のデータに対してより多くの静止画像を含んだ記録用データが参照される形で記録されることとなり、全体として、より多くのデジタル静止画像データを記録用データとして変換して、記録媒体に記録することができる。
【発明の効果】
【００２２】
以上説明したように、この発明によれば、動画像データと静止画像データとを静止画像データ専用のデコーダを備えない種々の再生機器で再生可能な態様で記録することができる。
【００２３】
また、静止画像データについては、静止画像データ専用のデコーダを用いることにより、高解像度で再生可能な態様でも記録することができるので、必要に応じて、いつでも高解像度の静止画像を利用できるようにすることができる。
【発明を実施するための最良の形態】
【００２４】
以下、図を参照しながらこの発明の一実施の形態について説明する。以下に説明する実施の形態においては、この発明による装置、方法を、書き込み可能なＤＶＤを記録媒体として用いるＤＶＤデジタルビデオカメラ（以下、ＤＶＤビデオカメラという。）に適用した場合を例にして説明する。
【００２５】
［ＤＶＤビデオカメラの構成と動作について］
図１は、この実施の形態のＤＶＤビデオカメラの構成例を説明するためのブロック図である。図１において、ＤＶＤ１００は、この実施の形態のＤＶＤビデオカメラに装填され、動画像データ、静止画像データが記録される記録媒体である。
【００２６】
この実施の形態のＤＶＤビデオカメラは、後述もするように、ＤＶＤビデオフォーマット（DVD Video format）とＤＶＤビデオレコーディングフォーマット（DVD Video Recording Format）との２つのデジタル動画フォーマットのいずれにも対応することができるものである。
【００２７】
したがって、この実施の形態のＤＶＤビデオカメラは、使用者からの指示に応じて、当該ＤＶＤビデオカメラに装填された書き込み可能なＤＶＤを、ＤＶＤビデオフォーマット、あるいは、ＤＶＤビデオレコーディングフォーマットに初期化して利用できるようにすることができるものである。
【００２８】
この実施の形態のＤＶＤビデオカメラは、図１に示すように、カメラ部１と、ＭＰＥＧエンコーダ２と、フォーマット形成部３と、ＪＰＥＧエンコーダ６と、フォーマット変換部７とからなる記録処理部と、記録時および再生時に用いられるバッファメモリ４、書き込み／読み出し部５とを備えている。
【００２９】
また、この実施の形態のＤＶＤビデオカメラは、図１に示すように、セレクタ８１、８４と、ＪＰＥＧデコーダ８２と、ＭＰＥＧデコーダ８３とからなり、再生時に用いられるデコード部８と、コーデック９１と、デジタルインターフェース（以下、デジタルＩ／Ｆと略称する。）９２とを備え、デジタルデータの受け渡しを行うデジタル入出力部９とを備えている。
【００３０】
そして、図１に示すように、デジタル入出力部９は、デジタル入出力端子ＩＯに接続され、このデジタル入出力端子を通じて他の機器との間でデジタルデータの送受を行うことができるようにしている。また、デコード部８においてデコードされ、Ｄ／Ａ変換された画像情報等の情報は、アナログ出力端子ＯＴを通じて出力され、モニタ受像機などの外部機器に供給することができるようにしている。
【００３１】
また、外部機器からのアナログ映像信号やアナログ音声信号は、入力端子ＩＮを通じてＭＰＥＧエンコーダ２に入力され、ここでＡ／Ｄ変換されるとともに、ＭＰＥＧ方式のデータにデータ圧縮して、これをＤＶＤ１００に記録することができるようにしている。
【００３２】
また、この実施の形態のＤＶＤビデオカメラには、ＬＣＤ（Liquid Crystal Display）コントローラ１１、ＬＣＤ１２が設けられており、カメラ部１が捉えている画像や、ＤＶＤ１００に記録されている画像データによる再生画像をＬＣＤ１２に表示して使用者がこれを観視することができるようにしている。なお、図示しなかったが、カメラ部１が捉えている画像を観視するためのビューファインダを設けることも可能である。
【００３３】
そして、図１において、制御部２０は、上述した各部を制御するものであり、ＣＰＵ（Central Processing Unit）２１、ＲＯＭ（Read Only Memory）２２、ＲＡＭ（Random Access Memory）２３、不揮発性メモリ２４が、ＣＰＵバス２６を通じて接続されて形成されたマイクロコンピュータである。
【００３４】
ここで、ＲＯＭ２１は、制御部２０のＣＰＵ２１により実行するようにされる各種のプログラムや処理に必要なデータが記録されたものであり、ＲＡＭ２２は、処理の途中結果を一時記憶するなど、主に作業領域として用いられるものである。また、不揮発性メモリ２４は、電源が落とされても記憶情報を保持しておくことができるものであり、種々の設定パラメータや確実に保持しておきたい途中結果などを記憶保持するためのものである。
【００３５】
また、制御部２０には、種々の操作キーや操作つまみなどを有するキー操作部２５が接続されている。このキー操作部２５を通じて、使用者からの種々の指示入力を当該ＤＶＤビデオカメラに対して入力することができるようにしている。そして、キー操作部２５を通じて受け付けられた使用者からの指示入力に応じた情報は電気信号として制御部２０に供給される。これにより、制御部２０は、使用者からの指示に応じて各部を制御し、当該ＤＶＤビデオカメラが使用者からの指示に応じた動作を行うことができるようにしている。
【００３６】
［動画像の記録時の動作について］
そして、この実施の形態のＤＶＤビデオカメラは、以下に説明するように、画像を動画像として撮影してＤＶＤに記録することができるとともに、画像を静止画像として撮影してＤＶＤに記録することができるものである。
【００３７】
すなわち、この実施の形態のＤＶＤビデオカメラのカメラ部１は、ＣＣＤ（Charge Coupled Device）を備えるとともに、電子式シャッター機能をも有するようにされたものである。そして、この実施の形態のＤＶＤビデオカメラの使用者は、キー操作部２５の所定の操作キーを操作して、この実施の形態のＤＶＤビデオカメラをいつでも撮影を開始することが可能な状態であるスタンバイ状態にし、キー操作部２５の撮影開始キー（ＲＥＣキー）を操作することにより、カメラ部１が捉えている画像を動画像として撮影して、これをＤＶＤ１００に記録する動作を行う。
【００３８】
この場合、カメラ部１からの動画像信号は、ＭＰＥＧエンコーダ２に供給され、ここでＡ／Ｄ変換されてデジタル動画像データとされた後、ＭＰＥＧ方式でデータ圧縮されて、フォーマット形成部３に供給される。フォーマット形成部３は、制御部２０の制御に応じて、この実施の形態のＤＶＤビデオカメラに装填されているＤＶＤ１００の記録フォーマット（デジタル動画フォーマット）に応じた記録用データを形成し、これをバッファメモリ４に供給する。
【００３９】
バッファメモリ４は、制御部２０により、その書き込み／読み出しが制御され、記録時においては、この実施の形態のＤＶＤビデオカメラとＤＶＤ１００との間における記録用データについての時間軸補正を行って、全ての記録用データを洩れなくＤＶＤ１００に記録することができるようにするためのものである。
【００４０】
そして、バッファメモリ４は、ＦＩＦＯ（First In First Out）方式で用いられ、動画像の記録時においては、フォーマット形成部３からの記録用データを順次にバッファメモリ４に書き込み、同時に既にバッファメモリ４に記録されている記録用データを読み出して、書き込み／読み出し部５に供給する。
【００４１】
書き込み／読み出し部５は、図示しないが、光ピックアップ、２軸アクチュエータ、スレッドモータなどを備え、制御部２０の制御により、この実施の形態のＤＶＤビデオカメラに装填されたＤＶＤ１００の所定の位置に記録用データを記録するようにする。このようにして、この実施の形態のＤＶＤビデオカメラは、これに装填された記録媒体であるＤＶＤ１００に対して、カメラ部１を通じて撮影した動画像をデジタルデータとして記録することができるものである。
【００４２】
［静止画像の記録時の動作について］
また、この実施の形態のＤＶＤビデオカメラは、この実施の形態のＤＶＤビデオカメラをスタンバイ状態にし、キー操作部２５のシャッターキーを操作することにより、カメラ部１の電子式シャッターが動作して、カメラ部１が捉えている画像を静止画像として撮影し、これをＤＶＤ１００に記録する動作を行う。
【００４３】
この場合、カメラ部１からの静止画像信号は、ＪＰＥＧエンコーダ６に供給され、ここでＡ／Ｄ変換されてデジタル静止画像データとされた後、ＪＰＥＧ方式でデータ圧縮され、ＪＰＥＧフォーマット（デジタル静止画フォーマット）の記録用データが形成される。ＪＰＥＧエンコーダ６からの記録用データは、バッファメモリ４を通じて書き込み／読み出し部５に供給され、この書き込み／読み出し部５を通じて、当該ＤＶＤビデオカメラに装填されているＤＶＤ１００に静止画像データとして記録される。
【００４４】
このように、この実施の形態のＤＶＤビデオカメラにおいては、デジタル動画フォーマットの動画像データと、デジタル静止画フォーマットの静止画像データとを、撮影の都度、記録媒体であるＤＶＤ１００上の適宜の位置に記録することによって、動画像データと静止画像データとをＤＶＤ１００において混在して記録することができるようにしている。すなわち、動画像データの記録領域と静止画像データの記録領域とを記録媒体であるＤＶＤ１００上に予め分けて設けるようにすることはない。
【００４５】
したがって、例えば、静止画像の撮影はしないにも関わらず、静止画像データの記録領域を予め確保してしまうなどの無駄を生じさせることなく、ＤＶＤの記憶容量を無駄なく使用して、動画像データであっても、静止画像データであっても効率よく記録することができるようにしている。
【００４６】
このように、この実施の形態のＤＶＤビデオカメラにおいては、動画像はＭＰＥＧ方式でデータ圧縮するとともに所定のデジタル動画フォーマットでＤＶＤに記録し、また、静止画像はＪＰＥＧ方式でデータ圧縮してデジタル静止画フォーマットで装填されたＤＶＤ１００に記録することができるようにしている。
【００４７】
［静止画像データのフォーマット変換について］
また、この実施の形態のＤＶＤビデオカメラにおいては、使用者からの指示に応じたタイミングで、あるいは、記録に用いられたＤＶＤ１００が取り出されるようにされたときなどの必要があると制御部２０が判断したタイミングで、記録に用いられたＤＶＤ１００にデジタル静止画フォーマットで記録されている全静止画像データを読み出し、これをデジタル動画フォーマットのデータに変換し、ＤＶＤ１００に追加記録する処理を行う。
【００４８】
具体的には、使用者からの指示に応じたタイミングで、あるいは、必要があると制御部２０が判断したタイミングで、記録に用いられたＤＶＤ１００にデジタル静止画フォーマットで記録されている全静止画像データを書き込み／読み出し部５を通じて読み出し、これをバッファメモリ４を介してフォーマット変換部７に供給する。
【００４９】
フォーマット変換部７は、書き込み／読み出し部５を通じてＤＶＤ１００から読み出されたデジタル静止画フォーマットの静止画像データ（ＪＥＰＧ方式でデータ圧縮されている静止画像データ）をＭＰＥＧ方式のＩピクチャの形式のデータに変換する。すなわち、フォーマット変換部７は、ＪＰＥＧ方式のデコーダによらなければデコードできない静止画像データを、ＭＰＥＧ方式のデコーダによってデコード可能なデータに変換する、いわゆる、ＪＰＥＧフォーマット−Ｉピクチャ変換部である。
【００５０】
そして、フォーマット変換部７において、ＭＰＥＧ方式のＩピクチャの形式のデータに変換された静止画像データは、フォーマット形成部３に供給される。フォーマット形成部３は、上述もしたように、記録しようとするデータから予め決められた所定のデジタル動画フォーマット、すなわち、この実施の形態においては、ＤＶＤビデオフォーマット、あるいは、ＤＶＤビデオレコーディングフォーマットの記録用データを形成するものである。
【００５１】
フォーマット形成部３は、フォーマット変換部７からＭＰＥＧ方式のＩピクチャの形式とされた静止画像データが供給されると、このＭＰＥＧ方式のＩピクチャの形式とされた全ての静止画像データを１まとまりのデータ（１チャプタ分のデータ）とし、所定のデジタル動画フォーマットの記録用データを形成する。このようにして形成された記録用データは、上述もしたように、バッファ４、書き込み／読み出し部５を通じてＤＶＤ１００に記録される。
【００５２】
このように、この実施の形態のＤＶＤビデオカメラは、例えば、撮影することにより得た動画像データはＭＰＥＧ方式でデータ圧縮して所定のデジタル動画フォーマットにしたがって記録し、撮影することにより得た静止画像データはＪＰＥＧフォーマットなどの所定のデジタル静止画フォーマットにしたがって記録することができるものである。
【００５３】
そして、さらにこの実施の形態のＤＶＤビデオカメラは、デジタル静止画フォーマット記録した静止画像データについては、ＭＰＥＧ方式のＩピクチャ形式のデータに変換し、これを先に記録されているＭＰＥＧ方式でデータ圧縮され、所定のデジタル動画フォーマットで記録されている動画像データに追加するようにして記録することができるものである。
【００５４】
したがって、デジタル静止画フォーマットで記録された静止画像データはそのままに、さらにデジタル静止画フォーマットで記録されている静止画像データをＭＰＥＧ方式のＩピクチャの形式した静止画像データに変換して、デジタル動画フォーマットで同じ記録媒体に記録するようにしている。
【００５５】
これにより、ＭＰＥＧ方式のデコーダを備えた再生機器であれば、この実施の形態のＤＶＤビデオカメラにより撮影されてＤＶＤ１００にデジタル動画フォーマットで記録された動画像と静止画像との両方を再生して利用することができるとともに、ＪＰＥＧ方式のデコーダを備えた再生機器においては、デジタル静止画フォーマットの静止画像データをその解像度を損なうことなく利用することができるようにしている。
【００５６】
［記録データの再生処理について］
また、この実施の形態のＤＶＤビデオカメラは、この実施の形態のＤＶＤビデオカメラに装填されているＤＶＤ１００から、これに記録されている動画像データや静止画像データを読み出して再生する再生機能をも備えたものである。
【００５７】
そして、この実施の形態のＤＶＤビデオカメラに装填されたＤＶＤ１００に記録されている動画像データや静止画像データを再生しようとする場合には、使用者は、キー操作部２５の所定の操作キーを操作して、この実施の形態のＤＶＤビデオカメラを記録媒体からのデータを再生する再生モードにし、ＤＶＤ１００からデータの読み出しができる状態にする。
【００５８】
そして、この実施の形態のＤＶＤビデオカメラの場合には、制御部２０は、キー操作部２５を通じて、動画像データの再生か、静止画像データの再生かの指示入力を受け付ける。
【００５９】
受け付けた指示入力が、動画像データの再生指示である場合には、制御部２０は、書き込み／読み出し部５を制御し、ＤＶＤ１００にレーザビームを照射してその反射光を受光することにより、ＭＰＥＧ方式でデータ圧縮され、所定のデジタル動画フォーマットにしたがって記録されている動画像データを読み出し、読み出した動画像データをバッファメモリ４を介してデコード部８に供給するようにする。
【００６０】
再生時においても、バッファメモリ４を用いるようにするのは、例えば振動などの外乱によってＤＶＤ１００からの記録データの読み出しが一時的に途切れるようなことがあっても、バッファメモリ４からのデータの読み出しを続行することにより、再生画像を途切れさせることがないようにすることができるなどの利点があるためである。
【００６１】
また、デコード部８においては、制御部２０の制御により、セレクタ８１、８４がＭＰＥＧデコーダ８３側に切り換えられ、動画像データおよびＭＰＥＧ方式のＩピクチャ形式で記録されている静止画像データが、ＭＰＥＧデコーダ８３においてデコードされてデータ圧縮前の動画像データ、静止画像データが復元され、これを再生するようにして、ＬＣＤ１２に再生画像を表示したり、出力端子ＯＴを通じてモニタ受像機などの外部機器に供給したりすることができるようにされる。
【００６２】
また、受け付けた指示入力が、静止画像データの再生指示である場合には、制御部２０は、書き込み／読み出し部５を制御して、ＪＰＥＧでデータ圧縮され、デジタル静止画フォーマットで記録されている静止画像データを読み出すようにし、デコード部８のセレクタ８１、８４をＪＰＥＧデコーダ８２側に切り換えて、ＪＰＥＧ方式でデータ圧縮されて記録されている静止画像データの再生を行う。
【００６３】
この場合には、ＪＰＥＧ方式でデータ圧縮されて記録された静止画像データのみが読み出され、ＪＰＥＧデコーダ８２でデコードされて再生することができるようにされるので、ＭＰＥＧ方式に比べれば高解像度の静止画像を再生して利用することができるようにされる。
【００６４】
なお、後述もするように、動画像データの場合には、タイトル単位、チャプター単位に記録するようにされており、指示されたタイトルやチャプターからの動画像の再生を行うようにするなどのことができるようにされている。また、ＭＰＥＧ方式のＩピクチャの形式で記録されている静止画像データについては、複数の静止画像のそれぞれを所定時間分づつ表示するようにするいわゆるスライドショウ表示で表示することができるようにされる。
【００６５】
また、上述もしたように、この実施の形態のＤＶＤビデオカメラは、デジタル入出力端子ＩＯ、デジタル入出力部９を備えることにより、例えば、パーソナルコンピュータやＤＶＤの記録再生機などの外部機器との間で、デジタル動画像データやデジタル静止画像データ等のデジタルデータの送受を行うこともできるようにされている。
【００６６】
［記録フォーマット別の静止画像データの変換処理について］
次に、図１に示したこの実施の形態のＤＶＤビデオカメラで利用可能なＤＶＤビデオフォーマットが用いられる場合とＤＶＤビデオレコーディングフォーマットが用いられる場合とに分けて、デジタル静止画像フォーマットで記録された静止画像データのデジタル動画フォーマットへの変換処理について説明する。
【００６７】
［ＤＶＤビデオフォーマットの場合について］
まず、デジタル動画フォーマットとして、ＤＶＤビデオフォーマットを用いる場合について説明する。上述もしたように、この実施の形態のＤＶＤビデオカメラは、動画像データと静止画像データとをその記録領域を予め分けたりすることなく、混在させて記録することができるようにしている。
【００６８】
図２は、ＤＶＤビデオフォーマットの場合のデータの記録態様を説明するための図である。ＤＶＤビデオフォーマットの場合には、図２（ａ）に示すように、１つ以上のチャプターからなる１タイトル分の動画像データが、ＶＴＳ（Video Title Set）情報として連続的に記録するようにされる。
【００６９】
図２（ａ）に示した例は、ＶＴＳ＃１、ＶＴＳ＃２、…、ＶＴＳ＃ｎが示すように、ｎ個のタイトル分の動画像データが記録されている場合を示している。そして、ＶＴＳの管理情報であって、各ＶＴＳ情報を統轄的に管理し、複数のＶＴＳのつながりを乱すことなく連続再生するなどのことができるようにするためのＶＭＧ（Video ManaGer）情報が設けられる。
【００７０】
ＤＶＤビデオフォーマットの場合には、上述のＶＧＭの内容を記録されたＶＴＳに応じて書き換えることにより、当該ＤＶＤを再生用として用いることができるようにするいわゆるファイナライズ処理が必要になる。ＤＶＤビデオフォーマットが用いられている場合には、このファイナライズ処理の実行タイミングで、デジタル静止画フォーマットで記録された静止画像データをデジタル動画フォーマットでも記録するようにする処理が行われることになる。
【００７１】
すなわち、ファイナライズ処理は、使用者からの指示に応じたタイミングや、ＤＶＤがこの実施の形態のＤＶＤビデオカメラから取り出されるように操作されたタイミングで行うようにされ、この時に、デジタル静止画フォーマットで記録された静止画像データをデジタル動画フォーマットでも記録するようにする処理が行われることになる。
【００７２】
なお、この明細書において、タイトルという語は、テレビ放送で言えば１つの放送番組を指し、また、チャプターという語は、例えば、１つのタイトル内を前半と後半、あるいは、１幕目、２幕目、…などのように分けた場合の各部分を指すものである。
【００７３】
そして、この実施の形態のＤＶＤビデオカメラにおいては、ファイナライズ処理が行われるまでに記録した動画像データを１タイトル、あるいは、９９個のチャプターのまとまりを１タイトルとしてまとめるようにしている。また、動画の撮影が開始され、その撮影が停止されるまで、すなわち、ＲＥＣスタートからＲＥＣストップまでの間に撮影した動画像の動画像データを１チャプターとして扱うようにしている。
【００７４】
そして、動画像の撮影と静止画像の撮影との両方が行なわれた場合には、この実施の形態のＤＶＤビデオカメラの場合には、例えば、図２（ｂ）に示すように、動画像データが記録するようにされるＶＴＳ情報と、ＪＰＥＧ方式でデータ圧縮された静止画像データ（図２（ｂ）において斜線で示した分部））とが混在してＤＶＤに記録される。
【００７５】
この後、上述もしたように、使用者からのファイナライズ処理の実行指示の入力を受け付けたり、当該ＤＶＤビデオカメラに装填されて記録に用いているＤＶＤの取り出しが指示されたりした場合などにおいて、図２（ｂ）において矢印で示すように、ＪＰＥＧ方式でデータ圧縮されたデジタル静止画フォーマットの静止画像データ（ＪＰＥＧ静止画像データ）から、ＭＰＥＧ方式のＩピクチャーの形式とされた静止画像データを形成し（フォーマット変換処理し）、これを複数枚（例えば９９枚）集めて１タイトルとして新たにＶＴＳ＃ｎ＋１を形成して（フォーマット形成処理し）、これを記録に用いているＤＶＤ１００に記録する。
【００７６】
この後、複数枚のＭＰＥＧ方式のIピクチャーの形式とされた静止画像データからなり、新たに記録したＶＴＳ＃ｎ＋１をも考慮したＶＭＧ情報を形成して、これを更新するようにするファイナライズ処理を行う。これにより、図２（ｂ）に示すように、記録に用いているＤＶＤには、ＶＴＳ＃１〜ＶＴＳ＃ｎで示されるＭＰＥＧ方式でデータ圧縮され、ＤＶＤビデオフォーマットで記録された動画像データと、ＶＴＳ＃ｎ＋１で示されるＭＰＥＧ方式のＩピクチャーの形式とされ、ＤＶＤビデオフォーマットで記録された静止画像データと、ＪＰＥＧ方式でデータ圧縮された静止画像データとが記録され、これらのそれぞれを利用することができるようにされる。
【００７７】
もちろん、静止画像だけを撮影して記録することも可能であり、この場合には、図２（ｃ）に示すように、ＪＰＥＧ方式でデータ圧縮された静止画像データ（図２（ｃ）において斜線で示した部分）がＤＶＤに記録される。そして、ファイナライズ処理のタイミングで、ＪＰＥＧ方式でデータ圧縮された静止画像データから、ＭＰＥＧ方式のＩピクチャーの形式とされた静止画像データを形成し、これを複数枚ずつまとめて、図２（ｃ）に示すように、新たにＶＴＳ＃１、…を形成して、これを記録に用いているＤＶＤに記録する。
【００７８】
そして、ファイナライズ処理を行って、新たに記録したＶＴＳ＃１、…をも考慮したＶＭＧ情報を形成して更新することにより、図２（ｃ）に示すように、記録に用いているＤＶＤには、静止画像として撮影され、ＪＰＥＧ方式でデータ圧縮された静止画像データ（図２（ｃ）において斜線で示した部分）とＶＴＳ＃１で示されるＭＰＥＧ方式のＩピクチャーの形式とされ、ＤＶＤビデオフォーマットで記録された静止画像データとが記録され、これらを利用することができるようにされる。
【００７９】
次に、ＪＰＥＧ静止画像データをＭＰＥＧ方式のＩピクチャーに変換し、変換後のＩピクチャーをＤＶＤビデオフォーマットのタイトル・チャプターにした場合のデータについて、図３を参照しながら説明する。ここでは、説明を簡単にするため、静止画１枚当たりを１チャプターとし、３チャプターを１タイトルとして、ＤＶＤビデオフォーマットで記録する場合を例にする。
【００８０】
図３は、この実施の形態のＤＶＤビデオカメラにおいて、３枚の静止画（３チャプター）を１タイトルとしてＤＶＤに記録したときのＤＶＤビデオフォーマットにおけるフォーマット図である。図３（ａ）においては、静止画をタイトル・チャプターとする処理を行う前にはｎ個のタイトルが記録されており、ｎ＋１個目のタイトルとして静止画像を記録した様子を示している。
【００８１】
図３（ａ）においては、図２の場合と同様に、各ＶＴＳ（Video Title Set）は１つのタイトルを示し、ＶＴＳ＃ｎはｎ番目のタイトルが記録されたＶＴＳであることを示している。そして、図２（ｂ）を用いて説明した場合と同様に、ファイナライズ処理のタイミングで、ＪＰＥＧ静止画像データから、ＭＰＥＧ方式のＩピクチャーの形式の静止画像データが形成され、これが複数枚（この図３の例の場合には３枚）がまとめられて、ＶＴＳ＃ｎ＋１が形成され、これがＤＶＤに記録される。
【００８２】
各ＶＴＳには、図３（ｂ）に示すように、ＶＴＳＩ（Video Title Set Information）と、ＶＴＳＴＴ＿ＶＯＢＳ（Video Object Set for Title）と、ＶＴＳＩ＿ｂｕｐ（Video Title Set Information backup）とが設けられる。ＶＴＳＴＴ＿ＶＯＢＳは、そのタイトルに含まれる各チャプターの画像データであり、図３（ｃ）に示すように、複数のチャプター分のＶＯＢ (Video Object)が存在できるようにされている。
【００８３】
また、ＶＴＳＩは、ＶＴＳＴＴ＿ＶＯＢＳに記録するようにされている複数の各チャプターを管理し、いつでも読み出したりすることができるようにするための管理情報であり、ＶＴＳＩ  ｂｕｐは、ＶＴＳＩのバックアップ情報であり、その内容は、ＶＴＳＩと同じである。
【００８４】
そして、本来のＤＶＤビデオフォーマットにおいては、各ＶＯＢ中には、複数のＣＥＬＬが存在できるように規定されている。しかし、この実施の形態のＤＶＤビデオカメラにおいては、図３（ｃ）のＶＯＢと図３（ｄ）のＣＥＬＬとが１対１に対応しているように、少なくともＪＰＥＧ静止画像データから形成されたＭＰＥＧ方式のＩピクチャーの静止画像が記録するようにされたＶＴＳの１つのＶＯＢの中には、１つのＣＥＬＬしか存在できないようにしている。すなわち、常に、１ＶＯＢ＝１ＣＥＬＬ＝１チャプターの関係が成り立つようにしている。
【００８５】
ＣＥＬＬ内には、Ｃｅｌｌ  Ｓｔｉｌｌ  Ｔｉｍｅと呼ばれる領域がある。ＣＥＬＬが、静止画であるときにはＣｅｌｌ  Ｓｔｉｌｌ  ＴｉｍｅにはそのＣＥＬＬ（静止画像）を再生する秒数を指定できる。つまり、静止画像の再生秒数（表示秒数）を任意に設定することもできるようにされている。
【００８６】
また、ＤＶＤビデオフォーマットにおいては、ＣＥＬＬ内には、複数のＶＯＢＵ（Video Object Unit）も複数存在させることができるようにされているが、この実施の形態のＤＶＤビデオカメラにおいては、図３（ｅ）に示すように、少なくともＪＰＥＧ静止画像データから形成されたＭＰＥＧ方式のＩピクチャーの静止画像が記録するようにされたＶＴＳのＣＥＬＬ内のＶＯＢＵは１つに制限している。
【００８７】
ＶＯＢＵ内は、図３（ｅ）に示すように、その先頭にＮＶ＿ＰＣＫ（navigation pack）が設けられ、続いて複数のＶ＿ＰＣＫ（video pack）が続く。ＶＯＢＵに含まれるＶ＿ＰＣＫのパック（pack）数は１つのＭＰＥＧ方式のIピクチャーを収めることが出来る容量に必要なパック数である。なお、ＮＶ＿ＰＣＫは、早送りや早戻しなどを実現するためのデータサーチインフォメーションなどを含むものである。
【００８８】
このように、この実施の形態のＤＶＤビデオカメラにおいては、ＪＰＥＧ方式でデータ圧縮して記録した静止画像データから、ＭＰＥＧ方式のＩピクチャーの形式とした静止画像データを形成する。そして、１枚の静止画像を１チャプターとし、複数枚の静止画像を１タイトルとしてまとめて、これを図３に示したように、ＤＶＤビデオフォーマットにしたがってＤＶＤに記録することができるようにしている。
【００８９】
また、ＣＥＬＬのＣｅｌｌ  Ｓｔｉｌｌ  Ｔｉｍｅを変更することにより、ＭＰＥＧ方式のＩピクチャーの形式に変換された静止画像の再生時間を変更するなどの調整を行うこともできるようにされる。この調整は、この実施の形態のＤＶＤビデオカメラのキー操作部２５を通じて使用者が行うことができるようにされている。この場合には、制御部２０の制御により、書きこみ／読み出し部５を通じて、ＤＶＤに記録された情報の該当データを書きかえることにより行うことができる。もちろん、編集機能を備えた他のＤＶＤ記録再生機においても行うことも可能である。
【００９０】
次に、ＤＶＤビデオフォーマットで初期化されたＤＶＤにＪＰＥＧ方式でデータ圧縮された静止画像データをＭＰＥＧ方式のＩピクチャーに変換し、これをＤＶＤビデオフォーマットで記録する場合の処理について、図４のフローチャートを参照しながら説明する。
【００９１】
この図４に示す処理は、例えば、使用者からのファイナライズ処理の実行指示があった場合や、記録に用いていたＤＶＤを当該ＤＶＤビデオカメラから取り出すようにした場合などの、ファイナライズ処理を実行するタイミングで行われるものである。
【００９２】
ファイナライズ処理が実行するようにされると、制御部２０は、図１には図示しなかったＤＶＤの回転駆動部や、書き込み読み出し部５、バッファメモリ４を制御し、記録に用いたＤＶＤ１００にＪＰＥＧ方式でデータ圧縮されてデジタル静止画フォーマットで記録されている静止画像データを読み出し、これをフォーマット変換部７に供給する（ステップＳ１０１）。
【００９３】
そして、制御部２０は、フォーマット変換部７を制御して、ＪＰＥＧ静止画像データをＭＰＥＧ方式のＩピクチャーの形式のデータ（ＰＳ：Program Stream）に変換し（ステップＳ１０２）、これをフォーマット形成部３に供給する。フォーマット形成部３は、制御部２０からの制御に基づき、これに供給されたＭＰＥＧ方式のＩピクチャーの形式とされた静止画像データを図３に示したように静止画用に新たに形成するＶＴＳのＶＴＳＴＴ＿ＶＯＢＳに追加するようにして、バッファメモリ４、書き込み／読み出し部５を通じてＤＶＤに記録する（ステップＳ１０３）。
【００９４】
そして、制御部２０は、記録に用いられたＤＶＤに記録されている全てのＪＰＥＧ静止画像データをＭＰＥＧ方式のＩピクチャーの形式に変換して、ＶＴＳＴＴ＿ＶＯＢＳに追加し、記録し終えたか否かを判断する（ステップＳ１０４）。ステップＳ１０４の判断処理において、記録し終えていないと判断したときには、制御部２０は、上述したように各部を制御し、ステップＳ１０１からの処理を繰り返す。
【００９５】
ステップＳ１０４の判断処理において、全てのＪＰＥＧ静止画像データについての変換処理が終了したと判断したときには、制御部２０は、新たに追加したＶＴＳのＶＴＳＩを形成し、これを書き込み／読み出し部５を通じて、ＤＶＤに記録する（ステップＳ１０５）。このステップＳ１０５の処理においては、ＶＴＩＳのＣｅｌｌ  Ｓｔｉｌｌ  ＴｉｍｅにＩピクチャーに変換した静止画像の再生秒数を静止画像毎に設定しながら記録することになる。
【００９６】
なお、この場合、ＶＴＩＳのＣｅｌｌ  Ｓｔｉｌｌ  Ｔｉｍｅは、例えば、３秒程度の値にされて記録するようにされる。この値は、使用者によって、事前に変更することも可能であるし、上述もしたように、後で変更することもできるようにされる。
【００９７】
そして、制御部２０は、ＭＰＥＧ方式の静止画像の記録のために新たに追加したＶＴＳをも考慮したＶＭＧを形成し、これを書き込み／読み出し部５を通じて、当該ＤＶＤに記録するいわゆるファイナライズ処理を行い（ステップＳ１０６）、この図４に示す処理、すなわち、ＪＰＥＧフォーマット−ＭＰＥＧ  Ｉピクチャー変換処理、および、ＤＶＤビデオフォーマットのファイナライズ処理を終了する。
【００９８】
なお、例えば、管理の効率化などのために、１つのタイトル（１つのＶＴＳ）には、最大９９個までしかチャプターを記録しないようにするなどの制限を設けた場合には、図４に示したステップＳ１０４の判断処理の前段に、１つのＶＴＳ中に９９個のチャプターを記録したか否かを判断し、９９個のチャプターを記録したと判断したときには、そのＶＴＳのＶＩＳＩを記録し、新たにＶＴＳを形成するようにして、ステップＳ１０１からの処理を繰り返すようにすればよい。
【００９９】
すなわち、１ＶＴＳ中に記録可能なチャプター数をカウントし、１ＶＴＳ中に記録可能なチャプター数を超えた時には、新たなＶＴＳを形成するようにすればよい。このように、１つのタイトル（１つのＶＴＳ）に記録可能なチャプター数を制限するようにすることもできる。しかし、複数のＶＴＳを静止画像データ用に割り当てることにより、ＭＰＥＧ方式のＩピクチャーの形式とした静止画像データの記録量を制限するようなことはない。
【０１００】
［ＤＶＤビデオレコーディングフォーマットの場合について］
次に、記録フォーマットとして、ＤＶＤビデオレコーディングフォーマットを用いる場合について説明する。図５は、ＪＰＥＧ方式でデータ圧縮され、デジタル静止画フォーマットでＤＶＤ１００に記録された静止画像データをＭＰＥＧのＩピクチャーに変換し、変換後のＩピクチャーをＤＶＤビデオレコーディングフォーマットにしたがってＤＶＤに記録する場合を説明するための図である。
【０１０１】
この実施の形態のＤＶＤビデオカメラの場合には、図５（Ａ）に示すように、記録に用いるＤＶＤ１００に対して、ＤＶＤビデオレコーディングフォーマットで動画像データを記録するようにした場合であっても、動画像データについては、ＤＶＤビデオレコーディングフォーマットにしたがって記録していき、静止画像データについては動画像データとは別個に、ＪＰＥＧ方式でデータ圧縮してデジタル動画フォーマットで記録して行くことができるようにされている。
【０１０２】
すなわち、ＤＶＤビデオレコーディングフォーマットを用いる場合であっても、前述したＤＶＤビデオフォーマットの場合と同様に、動画像データと静止画像データとの両方をそれぞれの記録フォーマットにしたがって、混在させて記録することができるようにされる。
【０１０３】
なお、図５（Ａ）において、Ｐｒｏｇｒａｍ＃１の記載は、前述したＤＶＤビデオフォーマットにおけるＶＴＳ＃１に相当するものであり、１つのタイトルを構成している部分を示すものである。また、Ｃｅｌｌ＃１、Ｃｅｌｌ＃２の記載は、前述したＤＶＤビデオフォーマットにおける動画像データについてのＶＯＢ中のＣＥＬＬに相当し、１つのタイトルを構成する動画像データの一部分（１区間）であるチャプターに対応するものである。
【０１０４】
このように、この実施の形態のＤＶＤビデオカメラは、動画像データについては、ＤＶＤビデオレコーディングフォーマットにしたがってＤＶＤに記録し、静止画像データについては、動画像データとは別個に、ＪＰＥＧ方式でデータ圧縮して記録することができるようにしている。
【０１０５】
そして、ＤＶＤビデオレコーディングフォーマットを用いる場合であっても、静止画像を撮影してＪＰＥＧ方式でデータ圧縮し、デジタル静止画フォーマットでＤＶＤ１００に記録した場合には、撮影した静止画像をＪＰＥＧ−Ｉピクチャー変換を行って、そのＩピクチャーにエントリーポイント（Entry Point）を設定し、ＤＶＤビデオレコーディングフォーマットにしたがってＤＶＤ１００に記録するようにしている。ここでエントリーポイントは、ＤＶＤに記録されたストリーム上での再生開始可能な位置を示すものである。
【０１０６】
そして、ＤＶＤビデオレコーディングフォーマットにしたがって、動画像データ、静止画像データを記録していく場合には、図５（Ｂ）に示すように、ＰＧＣＩ（ProGram Chain Information）を形成していくようにする。図５（Ｂ）において、ＰＧＣＩの中にあるＣｅｌｌ＃ｎは、ＰＧＣＩの中のｎ番目のＣｅｌｌであるかを示している。
【０１０７】
ＤＶＤビデオレコーディングフォーマットにおけるＣｅｌｌには、動画像データについてのＭ＿ＣＩ（Movie Cell Information）と、静止画像データについてのＳ＿ＣＩ（Still Picture Cell Information）の２種類がある。そして、ＰＧＣＩの中には、Ｍ＿ＣＩ、Ｓ＿ＣＩがそれぞれ９９９個ずつ存在させることができるように規定されている。この図５（Ｂ）の場合には、Ｃｅｌｌ＃１、Ｃｅｌｌ＃２がＭ＿ＣＩであり、Ｃｅｌｌ＃３がＳ＿ＣＩである。
【０１０８】
したがって、図５（Ｂ）の場合には、Ｐｒｏｇｒａｍ＃１とＰｒｏｇｒａｍ＃２との２つのタイトル（プログラム）が記録されており、Ｐｒｏｇｒａｍ＃１は、Ｃｅｌｌ＃１とＣｅｌｌ＃２との２つの動画のチャプターからなるタイトルである。また、Ｐｒｏｇｒａｍ＃２は、静止画像データについてのＣｅｌｌ＃３を備えたタイトルである。
【０１０９】
Ｍ＿ＣＩには、目的とするＶＯＢＵ（Video OBject Unit）にアクセスするための情報を持った図５（Ｃ）に示すＭ＿ＶＯＢＩ（Movie VOB Information）へのポインタと、図５（Ｂ）と図５（Ｃ）とをつなぐ矢印で示したように、そのＭ＿ＶＯＢＩの中での再生開始位置ＳＴ、再生終了位置ＥＤ、複数のエントリーポイントＥＰがある。ここで、Ｍ＿ＣＩが持つエントリーポイントＥＰは、Ｍ＿Ｃ＿ＥＰＩ（Movie Cell Entry Point Information）と呼ばれるものである。
【０１１０】
このＭ＿ＣＩが持つエントリーポイントであるＭ＿Ｃ＿ＥＰＩは、エントリーポイントとして、Ｍ＿ＶＯＢＩに含まれるＴＭＡＰ（Time Map）の任意の箇所を指し示し、ＴＭＡＰは、図５（Ｃ）のＭ＿ＶＯＢＩと図５（Ｄ）のＶＯＢＵを矢印で接続したように、ＶＯＢの中の個々のＶＯＢＵへのポインタを持っている。
【０１１１】
これにより、使用者からの指示に応じて、どのタイトル（プログラム）のどのチャプターのどのシーンから再生を行うようにするなど、より細かく再生位置を指示するなどのことができるようにされる。
【０１１２】
また、Ｓ＿ＣＩには、目的とするＶＯＢＵ（Video OBject Unit）にアクセスするための情報を持った図５（Ｃ）に示すＳ＿ＶＯＢＩ（Still VOB Information）へのポインタと、図５（Ｂ）と図５（Ｃ）とを矢印でつないで示したように、そのＳ＿ＶＯＧＩの中での再生開始位置ＳＴ、再生終了位置ＥＤ、複数のエントリーポイントＥＰがある。ここで、Ｓ＿ＣＩが持つエントリーポイントＥＰは、Ｓ＿Ｃ＿ＥＰＩ（Still Picture Cell Entry Point Information）と呼ばれるものである。
【０１１３】
このＳ＿ＣＩが持つエントリーポイントであるＳ＿Ｃ＿ＥＰＩは、エントリーポインタとして、Ｓ＿ＶＯＧＩ（Still Picture Video Object Group Information）に含まれるＶＯＢ  Ｅｎｔｒｉｅｓの任意の箇所を指し示し、ＶＯＢ  Ｅｎｔｒｉｅｓは静止画像グループ（Still Picture Video Object Group(Still Group)）の中の任意のＶＯＢを指し示すものである。
【０１１４】
静止画像が記録されるＶＯＢには、図５（Ｄ）に示すように、１つのＶＯＢＵが含まれ、１つのＩピクチャーが複数のＶ＿ＰＣＫに分割されてＶＯＢＵに格納される。１つのＳ＿ＶＯＧＩには、６４個のＶＯＢが存在できるようにされている。
【０１１５】
この実施の形態のＤＶＤビデオカメラにおいては、ＤＶＤにＪＰＥＧ方式でデータ圧縮されて記録されている静止画像データについては、使用者から指示されたタイミング、あるいは、当該ＤＶＤがこの実施の形態のＤＶＤビデオカメラから取り出されるように指示されたタイミングなどの制御部２０が必要と判断したタイミングにおいて、ＭＰＥＧ方式のＩピクチャーに変換し、これを図５を用いて説明したＤＶＤビデオレコーディングフォーマットにおける図５（Ｄ）に示したＳｔｉｌｌ  Ｐｉｃｔｕｒｅ  ＶＯＢ  Ｇｒｏｕｐに追加し、これに応じて、エントリーポイントを作成しながら、図５（Ｃ）に示したＳ＿ＶＯＧＩと、図５（Ｂ）に示したＣｅｌｌ（Ｓ＿ＣＩ）を作成する。
【０１１６】
したがって、この実施の形態のＤＶＤビデオカメラにおいては、静止画像を９９９（Ｓ＿ＣＩの数）×６４（ＶＯＢの数）＝６３９３６枚記録できることになり、従来、静止画像１枚を１チャプターとすることにより、Ｓ＿ＣＩの数分（９９９枚）に限られていた静止画像の記録枚数をその６４倍にまで増やすことができる。
【０１１７】
次に、ＤＶＤビデオレコーディングフォーマットで初期化されたＤＶＤにＪＰＥＧ方式でデータ圧縮されて記録された静止画像データをＭＰＥＧ方式のＩピクチャーに変換し、これをＤＶＤビデオレコーディングフォーマットで記録する場合の処理について、図５のフローチャートを参照しながら説明する。
【０１１８】
この図５に示す処理は、図３を用いて説明したＤＶＤビデオフォーマットでデータを記録した場合と同様に、例えば、使用者からの指示があった場合や、記録に用いていたＤＶＤを当該ＤＶＤビデオカメラから取り出すようにした場合などの、前述したＤＶＤビデオフォーマットを用いた場合に行われるいわゆるファイナライズ処理を実行するタイミングで行われる。
【０１１９】
この場合、制御部２０は、図１には図示しなかったＤＶＤの回転駆動部や、書き込み読み出し部５、バッファメモリ４を制御し、記録に用いたＤＶＤ１００にＪＰＥＧ方式でデータ圧縮されて記録されている静止画像データを読み出し、これをフォーマット変換部７に供給する（ステップＳ２０１）。
【０１２０】
そして、制御部２０は、フォーマット変換部７を制御して、ＪＰＥＧ静止画像データをＭＰＥＧ方式のＩピクチャーの形式のデータ（ＰＳ：Program Stream）に変換し（ステップＳ２０２）、これをフォーマット形成部３に供給する。フォーマット形成部３は、制御部２０からの制御に基づき、これに供給されたＭＰＥＧ方式のＩピクチャーの形式とされた静止画像データを図５を用いて説明したように、Ｓｔｉｌｌ  Ｐｉｃｔｕｒｅ  ＶＯＢ  Ｇｒｏｕｐ（図５（Ｄ））に追加するようにして、バッファメモリ４、書き込み／読み出し部５を通じてＤＶＤに記録する（ステップＳ２０３）。
【０１２１】
そして、制御部２０は、記録に用いられたＤＶＤに記録されている全てのＪＰＥＧ静止画像データをＭＰＥＧ方式のＩピクチャーの形式に変換して、Ｓｔｉｌｌ  Ｐｉｃｔｕｒｅ  ＶＯＢ  Ｇｒｏｕｐに追加し、記録し終えたか否かを判断する（ステップＳ２０４）。ステップＳ２０４の判断処理において、記録し終えていないと判断したときには、制御部２０は、上述したように各部を制御し、ステップＳ２０１からの処理を繰り返す。
【０１２２】
ステップＳ２０４の判断処理において、全てのＪＰＥＧ静止画像データについての変換処理が終了したと判断したときには、制御部２０は、新たに追加したＳｔｉｌｌ  Ｐｉｃｔｕｒｅ  ＶＯＢ  Ｇｒｏｕｐの内容を考慮して、エントリーポイントを作成しつつ、Ｓ＿ＶＯＧＩ（図５（Ｃ））と、Ｃｅｌｌ（Ｓ＿ＣＩ）（図５（Ｂ））を作成し、Ｓ＿ＶＯＧＩを追加するとともに、ＰＧＣＩにＣｅｌｌを追加し（ステップＳ２０５）、この図５に示す処理を終了する。
【０１２３】
なお、例えば、この実施の形態のＤＶＤビデオカメラの編集機能を用い、キー操作部２５を通じて、ＰＧＣやＣｅｌｌを変更することによって、静止画像の表示順や動画像と静止画像とを含めた表示順序の変更も比較的に簡単に行うこと可能である。もちろん、この実施の形態のＤＶＤビデオカメラで記録に用いたＤＶＤ１００を編集機能を備えた他のＤＶＤ記録再生機器を用いて、ＰＧＣやＣｅｌｌを変更することによって、静止画像の表示順や動画像と静止画像とを含めた表示順序の変更も比較的に簡単に行うこと可能である。
【０１２４】
［ＤＶＤに記録された画像の表示態様について］
次に、上述したように、ＭＰＥＧ方式でデータ圧縮された動画像データと、ＪＰＥＧ方式でデータ圧縮された静止画像データと、このＪＰＥＧ方式でデータ圧縮された静止画像データから形成され、ＭＰＥＧ方式のＩピクチャーの形式とされた静止画像データとが記録されたＤＶＤから動画像データや静止画像データを再生する場合の画像の表示態様について説明する。
【０１２５】
図７は、この実施の形態のＤＶＤビデオカメラにおいて、装填されたＤＶＤに記録されている画像データを再生する場合であって、目的とする画像データを選択する場合の画面の表示例を説明するための図である。
【０１２６】
図７において、メニュー項目ＭＮ１、ＭＮ２が示すように、この実施の形態のＤＶＤビデオカメラにおいては、動画像を再生するのか、静止画像を再生するのかの選択を行うことができるようにしている。そして、動画像の再生が選択された場合には、この実施の形態のＤＶＤビデオカメラは、ＭＰＥＧ方式でデータ圧縮され、ＤＶＤビデオフォーマットあるいはＤＶＤビデオレコーディングフォーマットにしたがって記録されている動画像データを再生するようにする。
【０１２７】
この場合、この実施の形態のＤＶＤビデオカメラの制御部２０は、図７（Ａ）に示すように、ＬＣＤ１２に例えば６個のサブ画面を設けるようにし、その６個のサブ画面に対して、例えば、各タイトル（プログラム）の先頭の画像（サムネイル）、あるいは、各タイトル（プログラム）の先頭からの動画像を表示するようにするとともに、ＭＰＥＧ方式のＩピクチャーの形式とされた静止画像データを指示された再生時間分ずつ順次に表示するようにするいわゆるスライドショウ表示を行う。
【０１２８】
この図７（Ａ）の場合には、サブ画面１２（１）、１２（２）、１２（３）、１２（４）には、各タイトルの先頭からの動画像が、サブ画面１２（５）には、ＭＰＥＧ方式のＩピクチャーの形式とされた静止画像データによるスライドショウ表示が行われている場合を示している。
【０１２９】
そして、目的とするタイトル（プログラム）を選択することにより、ＬＣＤ１２の表示画面いっぱいに、その選択されたタイトル（プログラム）の先頭からの動画像を表示したり、ＭＰＥＧ方式のＩピクチャーの形式とされた静止画像データによるスライドショウ表示を行うようにしたりすることができるようにされる。
【０１３０】
この場合には、ＭＰＥＧ方式のＩピクチャーの形式とされた静止画像データを再生しているのであり、ＪＰＥＧ方式でデータ圧縮された静止画像データについては全く使用する必要はない。
【０１３１】
したがって、ＭＰＥＧデコーダさえ備えたＤＶＤ再生機器、ＤＶＤ記録再生機器であれば、ＪＰＥＧデコーダを備えていなくても、ＭＰＥＧ方式のＩピクチャーの形式とされた静止画像データを利用することができるようにされる。つまり、もともとＪＰＥＧ方式で当該ＤＶＤに記録された静止画像データをも、その記録フォーマットが変換された静止画像データを通じて利用することができるようにされる。
【０１３２】
また、この実施の形態のＤＶＤビデオカメラにおいて、静止画像の再生が選択された場合には、この実施の形態のＤＶＤビデオカメラは、ＪＰＥＧ方式でデータ圧縮されて記録されている静止画像データを再生するようにする。
【０１３３】
この場合にも、この実施の形態のＤＶＤビデオカメラの制御部２０は、図７（Ｂ）に示すように、ＬＣＤ１２に例えば６個のサブ画面を設けるようにし、その６個のサブ画面に対して、ＪＰＥＧ方式でデータ圧縮された静止画像データによる１枚１枚の静止画像を表示するようにする。
【０１３４】
すなわち、図７（Ｂ）に示すように、各サブ画面１２（１）〜１２（６）のそれぞれには、ＪＰＥＧ方式でデータ圧縮されて記録されている静止画像データによる１枚毎の静止画像が表示される。そして、目的とする静止画像を選択することにより、ＬＣＤ１２の表示画面いっぱいに、その選択された静止画像データをＭＰＥＧ方式のＩピクチャーの形式とされた静止画像データによる静止画像よりも高解像度で表示することができる。
【０１３５】
この場合には、ＪＰＥＧ方式でデータ圧縮された静止画像データを再生しているのであり、ＭＰＥＧ方式でデータ圧縮された画像データ（動画像データおよび静止画像データ）については全く使用する必要はない。
【０１３６】
したがって、ＪＰＥＧデコーダさえ備えたＤＶＤ再生機器、ＤＶＤ記録再生機器であれば、ＭＰＥＧデコーダを備えていなくても、ＪＰＥＧ方式でデータ圧縮された静止画像データを利用することができるようにされる。
【０１３７】
また、例えば、この実施の形態のＤＶＤビデオカメラのように、ＭＰＥＧデコーダとＪＰＥＧデコーダとの両方を備えている機器の場合には、例えば、図８に示すように、ＭＰＥＧ方式でデータ圧縮されて、ＤＶＤビデオフォーマットあるいはＤＶＤビデオレコーディングフォーマットで記録された動画像データと、ＭＰＥＧ方式のＩピクチャーの形式とされた静止画像データと、ＪＰＥＧ方式でデータ圧縮された静止画像データとのそれぞれを用いて、そのそれぞれのデータに応じた画像を表示することができるようにされる。
【０１３８】
図８に示す例においても、表示画面Ｇには、６つのサブ画面Ｇ１〜Ｇ６が設けられている場合を示している。そして、サブ画面Ｇ１、Ｇ２には、ＭＰＥＧ方式でデータ圧縮されて、ＤＶＤビデオフォーマットあるいはＤＶＤビデオレコーディングフォーマットで記録された動画像データに対応する画像が表示され、サブ画面Ｇ３には、ＭＰＥＧ方式のＩピクチャーの形式とされた静止画像データによるスライドショウ表示がされ、そして、サブ画面Ｇ４、Ｇ５、Ｇ６には、ＪＰＥＧ方式でデータ圧縮された静止画像データに対応する画像が表示されている。
【０１３９】
そして、サブ画面Ｇ１、Ｇ２の内のいずれかを選択した場合には、表示画面Ｇいっぱいに、その選択された動画像データによる動画像を表示することができ、また、サブ画面Ｇ３を選択したときには、表示画面Ｇいっぱいに、ＭＰＥＧ方式のＩピクチャーの形式とされた静止画像データによるスライドショウ表示を行うようにすることができる。
【０１４０】
また、サブ画面Ｇ４、Ｇ５、Ｇ６の内のいずれかを選択した場合には、表示画面Ｇいっぱいに、その選択された静止画像データをＭＰＥＧ方式のＩピクチャーの形式とされた静止画像データによる静止画像よりも高解像度で表示することができる。
【０１４１】
なお、図７、図８に示した表示例の場合には、１画面に６つのサブ画面を設ける場合を例にした。しかしこれに限るものではない。表示画面の大きさに応じた数のサブ画面を設け、種々の態様で画像を表示するようにし、目的とするデータを選択して、その選択したデータを再生して、利用することができるようにされる。
【０１４２】
このように、この実施の形態のＤＶＤビデオカメラの場合には、動画像と静止画像とを混在させて記録することができるようにされ、しかも、静止画像データについては、最初に記録した静止画像データはそのままにして、動画像と同じ圧縮方式で、かつ、同じ記録フォーマットのデータに変換して記録し直すこともできるようにしている。
【０１４３】
この場合、静止画像データは、例えば、ＭＰＥＧのＰｒｉｖａｔｅ  Ｐａｃｋｅｔなどの特殊な態様で記録するものではないので、専用のデコーダを用いずに、標準のデコーダ（上述した実施の形態の場合には標準のＭＰＥＧデコーダ）を用いて、動画像データと静止画像として記録した静止画像データとの両方を利用できるようにすることができる。
【０１４４】
また、静止画像専用のデコーダ（上述した実施の形態の場合にはＪＰＥＧデコーダ）を設けなくても、静止画像データの利用ができるようにされる。また、本の静止画像データ専用の圧縮フォーマットで圧縮された静止画像データも残されるので、これを利用することもできるようにされ、高画質のままの静止画像データの利用もできるようにされる。
【０１４５】
また、ＤＶＤビデオフォーマットあるいはＤＶＤビデオレコーディングフォーマットで記録するようにされたＭＰＥＧ方式のＩピクチャーの形式とされた静止画像データについては、ＶＴＩＳの情報やＰＧＣＩやＣｅｌｌの情報を修正することにより、その再生位置を任意の位置に変更することも可能であり、編集の幅を広げることもできるようにされる。
【０１４６】
すなわち、タイトル番号、プログラム番号、チャプター番号、セルスチルタイムなどをこの実施の形態のＤＶＤビデオカメラや他のＤＶＤ記録再生機器の編集機能を用いて変更することにより、ＭＰＥＧストリーム上の再生位置やＭＰＥＧストリーム内で静止画像を再生する時間などを自由に変更し、オリジナルなコンテンツを作成することができる。
【０１４７】
なお、前述した実施の形態においては、ＭＰＥＧ方式のＩピクチャーの形式とした静止画像データは、動画像データの最後のＶＴＳやＰｒｏｇｕｒａｍの後に追加するようにしたが、これに限るものではなく、ＤＶＤビデオレコーディングフォーマットを用いた場合には、記録データの合間に挿入するようにして記録することができる。
【０１４８】
また、上述の実施の形態においては、動画像データの圧縮方式として、ＭＰＥＧ方式を用い、静止画像データの圧縮方式としてＪＰＥＧ方式を用いる場合を例にして説明したが、これに限るものではない。動画像データの圧縮方式としては、ＭＰＥＧ２、ＭＰＥＧ４などのＭＰＥＧ方式であっても種々の方式を用いることが可能である。また、Ｉピクチャーのような静止画像として扱えるデータの概念を持つ他の動画像データ用の圧縮方式を用いるようにしてももちろんよい。また、静止画像データについては、例えば、デジタルカメラで用いられているＤＣＦフォーマットで記録するようにしてもよいことは言うまでもなし、ＪＰＥＧ以外の圧縮方式を用いるようにしてももちろんよいし、静止画像データは、ビットマップ形式などの圧縮を伴わない方式で記録されている場合にも適用可能である。
【０１４９】
つまり、データの圧縮方式は限定するものではなく、動画像データと静止画像データとを異なる記録方式で記録する場合にこの発明を適用することができ、データ圧縮を行わない場合であっても、動画像データと静止画像データとを異なる記録方式で記録する場合にこの発明を適用することができる。
【０１５０】
また、制御部２０において、デジタル動画フォーマットで記録する静止画像データのデータ量をも考慮して、静止画像の撮影可能枚数をＬＣＤなどを通じて使用者に通知するようにすることもできる。この場合には、デジタル動画フォーマットで記録済みのデータの量と、デジタル静止画フォーマットで記録済みのデータの量とを合わせて、データの記録済み量を算出して、ＤＶＤの記録残量を算出し、この残量に基づいて、デジタル動画フォーマットで記録しなおす静止画像データのデータ量を考慮して、静止画像の撮影可能枚数を算出するようにすればよい。
【０１５１】
また、静止画像を撮影して記録する場合に、静止画像毎に、例えば、解像度を変更したりするようにすることも可能である。つまり、標準的な静止画像の解像度よりも、さらに高解像度で記録するようにし、これを後で、上述もしたように、ＭＰＥＧ方式のＩピクチャーの形式にするようにすることも可能である。
【０１５２】
また、上述した実施の形態においては、記録媒体としてＤＶＤを用いるようにしたがこれに限るものではなく、他の光ディスクや光磁気ディスク、あるいは、ハードディスクなどの磁気ディスク、さらには、半導体メモリなどを記録媒体として用いる記録装置にこの発明を適用することができる。もちろん、異なる２つ以上の記録媒体、例えば、ディスク記録媒体と半導体メモリなどの利用が可能な記録機器にもこの発明を適用することができる。
【０１５３】
また、この発明は、カメラ部を備えない、単なる記録機器に適用することも可能であることは言うまでもない。
【０１５４】
また、前述した実施の形態においては、記録フォーマットとして、ＤＶＤビデオフォーマットとＤＶＤビデオレコーディングフォーマットとを選択して用いることができるものとして説明したが、どちらか一方だけの対応であってももちろんよいし、さらに他の記録フォーマットについても対応できるようにしたりするなどのことももちろんできる。
【図面の簡単な説明】
【０１５５】
【図１】この発明による装置、方法の一実施の形態が適用されたＤＶＤビデオカメラを説明するためのブロック図である。
【図２】ＤＶＤビデオフォーマットの場合のデータの記録態様を説明するための図である。
【図３】ＤＶＤビデオフォーマットの場合のデータの記録態様を説明するための図である。
【図４】静止画像データをＭＰＥＧ方式のＩピクチャーに変換して、これをＤＶＤビデオフォーマットで記録する場合の処理を説明するためのフローチャートである。
【図５】ＤＶＤビデオレコーディングフォーマットの場合のデータの記録態様を説明するための図である。
【図６】静止画像データをＭＰＥＧ方式のＩピクチャーに変換して、これをＤＶＤビデオレコーディングフォーマットで記録する場合の処理を説明するためのフローチャートである。
【図７】目的とする画像データを選択する場合の画面の表示例を説明するための図である。
【図８】目的とする画像データを選択する場合の画面の表示例を説明するための図である。
【符号の説明】
【０１５６】
１…カメラ部、２…ＭＰＥＧデコーダ、３…フォーマット形成部、４…バッファメモリ、５…書き込み／読み出し部、６…ＪＰＥＧエンコーダ、７…フォーマット変換部、８…デコード部、９…デジタル入出力部、１１…ＬＣＤコントローラ、１２…ＬＣＤ、２０…制御部、２１…ＣＰＵ、２２…ＲＯＭ、２３…ＲＡＭ、２４…不揮発性メモリ、２５…キー操作部
【図１】
2006081197.tif 000003
【図２】
2006081197.tif 000004
【図３】
2006081197.tif 000005
【図４】
2006081197.tif 000006
【図５】
2006081197.tif 000007
【図６】
2006081197.tif 000008
【図７】
2006081197.tif 000009
【図８】
2006081197.tif 000010